【手続補正書】
【提出日】平成28年8月16日(2016.8.16)
【手続補正１】
【補正対象書類名】明細書
【補正対象項目名】００５９
【補正方法】変更
【補正の内容】
【００５９】
さまざまな具体的かつ好ましい実施態様及び技術を参照して本発明を説明してきた。しかしながら、本発明の精神及び範囲の内にとどまりながら、多数の変更及び改変が可能であることを理解されたい。
本発明の実施態様の一部を以下の項目１−３７に列記する。
[１]
テキスタイルを洗浄する方法であって、
該テキスタイルから汚れを除去するのに十分な時間にわたって、該テキスタイルを、洗浄剤とハロゲン含有漂白剤を含む水性組成物で処理することであって、該十分な時間が経過した後に、ハロゲンの濃度が約３０ｐｐｍ未満である、こと、
ハロゲン処理した該テキスタイルに、ペルオキシカルボン酸を含む水性組成物を接触させること、
を含む方法。
[２]
前記十分な時間の開始時点のハロゲンの濃度が約５０〜約１００ｐｐｍである、項目１に記載の方法。
[３]
前記十分な時間が経過した後のハロゲンの濃度が３０ｐｐｍ未満である、項目１に記載の方法。
[４]
ペルオキシカルボン酸を含む前記組成物の向流なしに実施される、項目１に記載の方法。
[５]
ペルオキシカルボン酸を含む前記水性組成物が、約７０〜約９０ｐｐｍのペルオキシ酢酸を含む、項目１に記載の方法。
[６]
洗剤濃縮物とハロゲン含有漂白濃縮物を含む組成物を水に添加して、洗浄剤とハロゲン含有漂白剤を含む前記水性組成物を生成することをさらに含む、項目１に記載の方法。
[７]
濃縮されたペルオキシカルボン酸を含む組成物を水に添加して、ペルオキシカルボン酸を含む前記水性組成物を生成することをさらに含む、項目１に記載の方法。
[８]
処理することの前にアルカリ性洗剤で洗濯することをさらに含む、項目１に記載の方法。
[９]
洗濯することが、アルカリ性洗浄剤を含む組成物を用いる、項目８に記載の方法。
[１０]
接触させることの後に仕上げ組成物で仕上げることをさらに含む、項目１に記載の方法。
[１１]
仕上げることが、
酸性物質、
柔軟剤、及び
任意に、デンプン、撥流体剤、防カビ剤、残留物ケア剤、又はこれらの混合物、
を含む組成物を用いる、項目１０に記載の方法。
[１２]
処理することが、前記十分な時間の間にハロゲンの濃度を約３０ｐｐｍ未満に減少させるのに有効な温度で実施される、項目１に記載の方法。
[１３]
処理することが、約１４０〜約１５０℃の温度で実施される、項目１に記載の方法。
[１４]
処理することが、約６〜約７のｐＨで実施される、項目１に記載の方法。
[１５]
処理されて接触させられたテキスタイル物品の約９９％から染みが除去される、項目１に記載の方法。
[１６]
処理されて接触させられたテキスタイル物品のほんの約１％が再洗濯を必要とする、項目１に記載の方法。
[１７]
処理されて接触させられたテキスタイル物品が、従来法で洗浄されたテキスタイル物品の割合の約５０％未満の割合で、再洗濯を必要とする、項目１に記載の方法。
[１８]
処理されて接触させられたテキスタイル物品のほんの約１％がぼろ切れとして処分される、項目１に記載の方法。
[１９]
処理されて接触させられたテキスタイル物品が、従来法で洗浄されたテキスタイル物品の割合の約５０％未満の割合で、ぼろ切れとして処分される、項目１に記載の方法。
[２０]
前記テキスタイル物品が医療施設からのものである、項目１に記載の方法。
[２１]
前記テキスタイル物品が、シーツ、タオル、患者のガウン、ベッドカバー、失禁パッド、手術室のリネン、スクラブ、ウォッシュクロス、枕ケース、又はこれらの組み合わせを含む、項目２０に記載の方法。
[２２]
処理することの前にアルカリ性洗剤で洗濯すること；及び
接触させることの後に仕上げ組成物で仕上げること、
をさらに含む、項目１に記載の方法。
[２３]
処理されて接触させられたテキスタイル物品の約９９％から染みが除去される、項目２２に記載の方法。
[２４]
処理されて接触させられたテキスタイル物品のほんの約１％が再洗濯を必要とする、項目２２に記載の方法。
[２５]
処理されて接触させられたテキスタイル物品が、従来法で洗浄されたテキスタイル物品の割合の約５０％未満の割合で、再洗濯を必要とする、項目２２に記載の方法。
[２６]
処理されて接触させられたテキスタイル物品のほんの約１％がぼろ切れとして処分される、項目２２に記載の方法。
[２７]
処理されて接触させられたテキスタイル物品が、従来法で洗浄されたテキスタイル物品の割合の約５０％未満の割合で、ぼろ切れとして処分される、項目２２に記載の方法。
[２８]
連続バッチ式トンネル洗濯機を用いて実施される、項目１に記載の方法。
[２９]
テキスタイル物品を洗浄する方法であって、
内部と、取り込み口と、取り出し口と、該内部を複数の領域に分割する複数の区画とを有する連続トンネル洗濯機を提供すること、
該テキスタイル物品を、該取り込み口から、洗浄剤とハロゲン含有漂白剤を含む水性組成物で該テキスタイル物品を処理するよう構成された区画まで移動させること、
該テキスタイルから汚れを除去するのに十分な時間にわたって、該テキスタイル物品を、洗浄剤とハロゲン含有漂白剤を含む水性組成物で処理することであって、該十分な時間が経過した後に、ハロゲンの濃度が約３０ｐｐｍ未満である、こと、
ハロゲン処理した該テキスタイル物品を、ペルオキシカルボン酸を含む水性組成物と接触させるよう構成された区画に、該テキスタイル物品を移すこと、及び
ハロゲン処理した該テキスタイル物品を、ペルオキシカルボン酸を含む水性組成物と接触させること、
を含む方法。
[３０]
ペルオキシカルボン酸を含む前記組成物の向流なしに実施される、項目２９に記載の方法。
[３１]
前記十分な時間が経過した後のハロゲンの濃度が３０ｐｐｍ未満である、項目１に記載の方法。
[３２]
処理することの前にアルカリ性洗剤で洗濯することをさらに含む、項目２９に記載の方法。
[３３]
接触させることの後に仕上げ組成物で仕上げることをさらに含む、項目２９に記載の方法。
[３４]
処理されて接触させられたテキスタイル物品の約９９％から染みが除去される、項目２９に記載の方法。
[３５]
処理されて接触させられたテキスタイル物品のほんの約１％がぼろ切れとして処分される、項目２９に記載の方法。
[３６]
テキスタイル物品からグルコン酸クロルヘキシジンを除去し、該グルコン酸クロルヘキシジンから生じる染みを残さないようにするのに有効である、項目１に記載の方法。
[３７]
従来の洗濯機脱水機を用いて実施される、項目１に記載の方法。
【手続補正２】
【補正対象書類名】特許請求の範囲
【補正対象項目名】全文
【補正方法】変更
【補正の内容】
【特許請求の範囲】
【請求項１】
テキスタイルを洗浄する方法であって、
該テキスタイルから汚れを除去するのに十分な時間にわたって、洗浄剤とハロゲン含有漂白剤を含む水性組成物を複数のテキスタイルに接触させることにより該テキスタイルを処理することであって、該十分な時間の開始時点のハロゲンの濃度が５０〜１００ｐｐｍであり、該十分な時間が経過した後のハロゲンの濃度が約３０ｐｐｍ未満である、こと、及び
ハロゲン処理した該複数のテキスタイルに、ペルオキシカルボン酸を含む水性組成物を接触させること、
を含み、
該複数のテキスタイルの少なくとも幾つかが、グルコン酸クロルヘキシジンで汚れており、該方法が、該汚れたテキスタイルからグルコン酸クロルヘキシジンを除去し、該グルコン酸クロルヘキシジンから生じる染みを残さないようにするのに有効である、方法。
【請求項２】
ペルオキシカルボン酸を含む前記組成物の向流なしに実施される、請求項１に記載の方法。
【請求項３】
ペルオキシカルボン酸を含む前記水性組成物が、約７０〜約９０ｐｐｍのペルオキシ酢酸を含む、請求項１に記載の方法。
【請求項４】
洗剤濃縮物とハロゲン含有漂白濃縮物を含む組成物を水に添加して、洗浄剤とハロゲン含有漂白剤を含む前記水性組成物を生成することをさらに含む、請求項１に記載の方法。
【請求項５】
濃縮されたペルオキシカルボン酸を含む組成物を水に添加して、ペルオキシカルボン酸を含む前記水性組成物を生成することをさらに含む、請求項１に記載の方法。
【請求項６】
処理することの前にアルカリ性洗剤で洗濯することをさらに含む、請求項１に記載の方法。
【請求項７】
該複数のテキスタイルに、ペルオキシカルボン酸を含む該水性組成物を接触させることの後に仕上げ組成物で仕上げることをさらに含む、請求項１に記載の方法。
【請求項８】
仕上げることが、
酸性物質、
柔軟剤、及び
任意に、デンプン、撥流体剤、防カビ剤、残留物ケア剤、又はこれらの混合物、
を含む組成物を用いる、請求項７に記載の方法。
【請求項９】
処理することが、約１４０〜約１５０℃の温度で実施される、請求項１に記載の方法。
【請求項１０】
処理することが、約６〜約７のｐＨで実施される、請求項１に記載の方法。
【請求項１１】
処理されて接触させられたテキスタイル物品の約９９％から染みが除去される、請求項１に記載の方法。
【請求項１２】
処理されて接触させられたテキスタイル物品のほんの約１％が再洗濯を必要とする、請求項１に記載の方法。
【請求項１３】
処理されて接触させられたテキスタイル物品が、従来法で洗浄されたテキスタイル物品の割合の約５０％未満の割合で、再洗濯を必要とする、請求項１に記載の方法。
【請求項１４】
処理されて接触させられたテキスタイル物品のほんの約１％がぼろ切れとして処分される、請求項１に記載の方法。
【請求項１５】
処理されて接触させられたテキスタイル物品が、従来法で洗浄されたテキスタイル物品の割合の約５０％未満の割合で、ぼろ切れとして処分される、請求項１に記載の方法。
【請求項１６】
前記テキスタイル物品が医療施設からのものである、請求項１に記載の方法。
【請求項１７】
前記テキスタイル物品が、シーツ、タオル、患者のガウン、ベッドカバー、失禁パッド、手術室のリネン、スクラブ、ウォッシュクロス、枕ケース、又はこれらの組み合わせを含む、請求項１６に記載の方法。
【請求項１８】
処理することの前にアルカリ性洗剤で洗濯すること；及び
接触させることの後に仕上げ組成物で仕上げること、
をさらに含む、請求項１に記載の方法。
【請求項１９】
連続バッチ式トンネル洗濯機を用いて実施される、請求項２に記載の方法。
【請求項２０】
テキスタイル物品を洗浄する方法であって、
内部と、取り込み口と、取り出し口と、該内部を複数の領域に分割する複数の区画とを有する連続トンネル洗濯機を提供すること、
該テキスタイル物品を、該取り込み口から、洗浄剤とハロゲン含有漂白剤を含む水性組成物で該テキスタイル物品を処理するよう構成された区画まで移動させること、
該テキスタイルから汚れを除去するのに十分な時間にわたって、該テキスタイル物品を、洗浄剤とハロゲン含有漂白剤を含む水性組成物で処理することであって、該十分な時間が経過した後に、ハロゲンの濃度が約３０ｐｐｍ未満である、こと、
ハロゲン処理した該テキスタイル物品を、ペルオキシカルボン酸を含む水性組成物と接触させるよう構成された区画に、該テキスタイル物品を移すこと、及び
ハロゲン処理した該テキスタイル物品を、ペルオキシカルボン酸を含む水性組成物と接触させること、
を含み、
該複数のテキスタイルの少なくとも幾つかが、グルコン酸クロルヘキシジンで汚れており、該方法が、該汚れたテキスタイルからグルコン酸クロルヘキシジンを除去し、該グルコン酸クロルヘキシジンから生じる染みを残さないようにするのに有効である、方法。
【請求項２１】
ペルオキシカルボン酸を含む前記組成物の向流なしに実施される、請求項２０に記載の方法。
【請求項２２】
前記十分な時間が経過した後のハロゲンの濃度が３０ｐｐｍ未満である、請求項１に記載の方法。
【請求項２３】
処理することの前にアルカリ性洗剤で洗濯することをさらに含む、請求項２０に記載の方法。
【請求項２４】
接触させることの後に仕上げ組成物で仕上げることをさらに含む、請求項２０に記載の方法。
【請求項２５】
処理されて接触させられたテキスタイル物品の約９９％から染みが除去される、請求項２０に記載の方法。
【請求項２６】
処理されて接触させられたテキスタイル物品のほんの約１％がぼろ切れとして処分される、請求項２０に記載の方法。